(57)【特許請求の範囲】
【請求項１】
拡張式ひな段が拡張式函体に嵌め込まれているスライド拡張式展示棚において、
前記拡張式ひな段は、複数段の階段からなる中央ひな段と、前記中央ひな段の下側に内挿されるとともに前記中央ひな段の正面から見て左側にスライドして拡張できる左側第１ひな段ならびに左側第２ひな段と、前記中央ひな段の下側に内挿されるとともに前記中央ひな段の正面から見て右側にスライドして拡張できる右側第１ひな段ならびに右側第２ひな段とから少なくとも構成され、
前記拡張式函体は、ひな段の後面を位置決めする中央背面板と中央底板とひな段の前面を位置決めする中央前面板とからなる中央函体と、前記中央函体内に内挿されるとともに左側にスライドして拡張できる左側背面板と左側底板とひな段の前面を位置決めする左側前面板とひな段の左側側面板とからなる左側函体と、前記中央函体内に内挿されるとともに右側にスライドして拡張できる右側背面板と右側底板とひな段の前面を位置決めする右側前面板とひな段の右側側面板とからなる右側函体とから構成され、
前記左側第１ひな段ならびに前記左側第２ひな段の左端部が前記左側函体の前記左側側面板に固定され、前記右側第１ひな段ならびに前記右側第２ひな段の右端部が前記右側函体の右側側面板に固定されていることで、前記拡張式ひな段と前記拡張式函体とが連動して動くようにしたことを特徴とするスライド拡張式展示棚。
【発明の詳細な説明】
【技術分野】
【０００１】
本発明は、スライド拡張式展示棚に関する。詳しくは、板紙材料を折り曲げし、かつ部分的に接着して形成したひな段式の商品等展示棚であって、ひな段を含む展示棚全体を左または右側、あるいは双方側にスライドして拡張可能にしたことを特徴とするスライド拡張式展示棚に関する。
【背景技術】
【０００２】
店舗や展示スペースにおいては、商品等を展示する際は、立体的に陳列して看者が見易くする工夫がされるのが常である。そのため、階段状に商品等を展示できるひな段式展示棚がしばしば採用されている。
しかし、店舗や展示スペースの広さは、それぞれ異なるので、既製の一定幅の展示棚では、陳列幅が不足であるか、あるいは長すぎる場合が生じる。
そこで、本発明は店舗や展示スペースの状況に応じて、展示棚幅の調整が適宜にできる展示棚を着想し、その実現を図ったものである。
【０００３】
（従来技術）特許文献１には、展示物の支持体であって、展示面の領域を可変に調整できる支持体が記載されているが、本願のようにひな段式のものではない。
特許文献２には、商品陳列台を上下に複数段、横方向に複数列に区分して陳列するひな段式の陳列方法が記載されているが、本願のようにひな段をスライドして拡張可能なものとは相違している。
【先行技術文献】
【特許文献】
【０００４】
【特許文献１】実用新案登録第３１６０５８０号公報
【特許文献２】特開２００５−１１８３６５号公報
【発明の概要】
【発明が解決しようとする課題】
【０００５】
そこで、本発明は展示棚幅が容易に変更でき、簡単に組み立てることができ、軽量かつ搬送も容易なスライド拡張式展示棚を提供することを課題とする。
【課題を解決するための手段】
【０００６】
上記課題を解決するために、本発明の要旨に係るスライド拡張式展示棚は、拡張式ひな段が拡張式函体に嵌め込まれているスライド拡張式展示棚において、前記拡張式ひな段は、複数段の階段からなる中央ひな段と、前記中央ひな段の下側に内挿されるとともに前記中央ひな段の正面から見て左側にスライドして拡張できる左側第１ひな段ならびに左側第２ひな段と、前記中央ひな段の下側に内挿されるとともに前記中央ひな段の正面から見て右側にスライドして拡張できる右側第１ひな段ならびに右側第２ひな段とから構成され、前記拡張式函体は、ひな段の後面を位置決めする中央背面板と中央底板とひな段の前面を位置決めする中央前面板とからなる中央函体と、前記中央函体内に内挿されるとともに左側にスライドして拡張できる左側背面板と左側底板とひな段の前面を位置決めする左側前面板とひな段の左側側面板とからなる左側函体と、前記中央函体内に内挿されるとともに右側にスライドして拡張できる右側背面板と右側底板とひな段の前面を位置決めする右側前面板とひな段の右側側面板とからなる右側函体とから少なくとも構成され、前記左側第１ひな段ならびに前記左側第２ひな段の左端部が前記左側函体の前記左側側面板に固定され、前記右側第１ひな段ならびに前記右側第２ひな段の右端部が前記右側函体の右側側面板に固定されていることで、前記拡張式ひな段と前記拡張式函体とが連動して動くようにしたことを特徴とする。
【発明の効果】
【０００８】
本発明に係るスライド拡張式展示棚によれば、店舗や展示スペースの状況に応じて、展示棚をスライドして拡張して使用できるので、展示棚を展示スペースに合わせて個別に製作する必要がない。かつ、臨時的な店舗等にも持ち運びして容易に設置できる。
【図面の簡単な説明】
【０００９】
【図１】スライド拡張式展示棚の拡張状態を示す斜視図である。
【図２】スライド拡張式展示棚の非拡張状態を示す斜視図である。
【図３】拡張式函体の正面からの斜視図である。
【図４】拡張式ひな段の正面からの斜視図である。
【図５】拡張式函体と拡張式ひな段の組み合わせ状態を示す正面図である。
【図６】拡張式函体と拡張式ひな段の固定構造を示す図である。
【図７】拡張式函体のブランク板を示す図である。
【図８】中央ひな段と前垂れのブランク板を示す図である。
【図９】左側ひな段と右側ひな段のブランク板を示す図である。
【図１０】看板のブランク板を示す図である。
【図１１】中央函体ブランク板の折り畳み後の断面図である。
【図１２】中央ひな段ブランク板の折り畳み後の断面図である。
【図１３】側面板のブランク板を折り畳みする工程図（１）である。
【図１４】側面板のブランク板を折り畳みする工程図（２）である。
【図１５】側面板のブランク板を折り畳みする工程図（３）である。
【図１６】係止片の機能を説明する図である。
【発明を実施するための形態】
【００１０】
以下、本発明の実施形態について、図面を参照して詳細に説明する。
図１は、スライド拡張式展示棚を示す斜視図であって、左右にスライドして拡張した状態を示している。図１（Ａ）は、前垂れを付けない状態、図１（Ｂ）は、前垂れを付けた状態である、である。
スライド拡張式展示棚（以下、単に「展示棚」ともいう。）１０は、複数段の階段からなる拡張式ひな段を拡張式函体３０の中に納めた構造になっている。
なお、以下は拡張式ひな段の段数が２段の場合について説明するが、段数は複数段であってもよいものである。
また、本明細書において、「右」とは、スライド拡張式展示棚を看者が前面から相対して観察した場合の看者の右手側を言い、「左」とはその逆側をいうものとする。
【００１１】
拡張式函体３０は、中央函体３１と左側函体３２と右側函体３３とから構成されている。
拡張式ひな段は、中央第１ひな段２１１と中央第２ひな段２１２、左側第１ひな段２２１と左側第２ひな段２２２、および右側第１ひな段２３１と右側第２ひな段２３２とからなっている。
前垂れ４１，４２,４３は展示棚の装飾的効果を高めるものである。前垂れ４１，４２,４３自体は第１ひな段２１１，２２１，２３１と函体前面板３１３,３２３，３３３との間に差し込みする単板材料であって伸縮性ではない。中央ひな段のみに縮小時は前垂れ４１のみを使用し、拡張時は前垂れ４２,４３も使用する。また、必須の構成でもない。
【００１２】
図２は、スライド拡張式展示棚の非拡張状態を示す斜視図である。図２（Ａ）は、前垂れを付けない状態、図２（Ｂ）は、前垂れ４１のみを付けた状態である。
図２では、左側函体３２と右側函体３３の双方の背面板と底板、および前面板は中央函体３１内に内挿されているので外観からは見えない。ただし、左側函体３２の側面板３２４と右側函体３３の側面板３３４は外面に表われている。また、左側第１ひな段２２１と左側第２ひな段２２２、右側第１ひな段２３１と右側第２ひな段２３２も中央ひな段２１の下側に内挿されていて外観からは見えない。
【００１３】
図３は、拡張式函体の正面からの斜視図である。拡張状態を示している。
拡張式函体３０は、中央函体３１と左側函体３２、右側函体３３とからなっている。中央函体３１は、ひな段の後面を位置決めする中央背面板３１１と中央底板３１２とひな段の前面を位置決めする中央前面板３１３とからなっている。
左側函体３２は、左側側面板３２４と前記中央函体内に内挿されていて、必要により左側にスライドして拡張できる左側背面板３２１、左側底板３２２とひな段の前面を位置決めする左側前面板３２３とからなっている。
右側函体３３は、右側側面板３３４と前記中央函体内に内挿されていて、必要により右側にスライドして拡張できる右側背面板３３１、右側底板３３２とひな段の前面を位置決めする右側前面板３３３とからなっている。
左側側面板３２４と右側側面板３３４は、展示棚１０の左右の限界を区画する機能を果たす板紙材料である。後述するように、この側面板３２４,３３４は左側ひな段２２と右側ひな段２３の端部を各側面板に固定する機能をも行っている。
【００１４】
拡張式ひな段２０も同様であるが、拡張式函体３０は、原則として左右対称の構造にされ、左側函体３２と右側函体３３を中央函体３１の内側にスライドして納めた際は、その全体が中央函体３１の中に収納されて隠れるようにされている。従って、左側函体３２の幅と右側函体３３の幅の合計幅は、中央函体３１の幅よりも小さくなる。
【００１５】
図４は、拡張式ひな段の正面からの斜視図である。拡張状態を示している。
拡張式ひな段２０は、中央ひな段２１と左側ひな段２２、および右側ひな段２３とからなっている。中央ひな段２１は、中央第１ひな段２１１と中央第２ひな段２１２とからなっている。また、左側ひな段２２は、左側第１段ひな段２２１と左側第２ひな段２２２とからなり、右側ひな段２３は、右側第１ひな段２３１と右側第２ひな段２３２とからなっている。
中央第１ひな段２１１と中央第２ひな段２１２以外はスライド引出し式ひな段であって、引出し時以外は中央ひな段２１の下側に内挿されている。左側と右側の第１ひな段、第２ひな段のそれぞれは、立方体状体箱体の各々独立の構成体である。第２ひな段２２２，２３２は、第１ひな段２２１，２３１よりも高さの大きい立方体状箱体となっている。
左側と右側の各ひな段２２１，２３１，２２２，２３２は、前記左側側面板３２４または右側側面板３３４に固定されているので、各側面板と連動して動くようにされている。
【００１６】
中央ひな段２１は、１枚の板紙材料を折り曲げして、中央第１ひな段２１１，中央第２ひな段２１２を形成するようにされている。中央第１ひな段２１１の下面側は、左側第１ひな段２２１と右側第１ひな段２３１を収納するトンネル構造にされ、中央第２ひな段２１２の下側は、左側第２ひな段２２２と右側第２ひな段２３２を収納するトンネル構造にされている。これらの構造については、後に詳述する。
中央第１ひな段２１１と左側第１ひな段２２１、右側第１ひな段２３１の高さは、前記各前面板３１３，３２３，３３３とほぼ同じ高さになるようにされている。
【００１７】
図５は、拡張式函体と拡張式ひな段の組み合わせ状態を示す正面図であって、左右に拡張していない状態を示している。拡張式ひな段２０を拡張式函体３０の中に嵌め込みし、左側側面板３２４と左側ひな段２２との間、右側側面板３３４と右側ひな段２３との間を固定することにより、拡張式ひな段２０と拡張式函体３０とが連動することになる。
【００１８】
図６は、拡張式函体と拡張式ひな段の固定構造を示す図であって、図６（Ａ）は、ひな段側の差し込み片を、図６（Ｂ）は、函体側の差し込み穴を示している。拡張式函体３０の左側側面板３２４と拡張式ひな段２０の左側第１ひな段２２１と左側第２ひな段２２２は、１点鎖線Ｃを中心として線対称の位置に図示されている。
拡張式函体３０と拡張式ひな段２０を組み合わせする際は、図５のように、拡張式ひな段２０を拡張式函体３０の中に嵌め込みする。この際、図６のように、左側第１ひな段２２１の左端部の差し込み片２２１ｓ１を左側側面板３２４の差し込み穴３２４ｈ１に差し込みし、左側第２ひな段２２２の左端部の差し込み片２２２ｓ２を左側側面板３２４の差し込み穴３２４ｈ２に差し込みして固定する。
図６の場合、左側第１ひな段２２１および左側第２ひな段２２２と左側側面板３２４との固定構造のみを示し、右側は図示してないが右側ひな段の右端部も同様に固定するものである。
これらの固定構造により、側面板３２４を動かせば、左側第１ひな段２２１と左側第２ひな段２２２が連動して動くことになる。右側側面板３３４と右側第１ひな段２３１および右側第２ひな段２３２との関係も同様である。
【００１９】
次に、スライド拡張式展示棚用ブランク板（以下、単に「ブランク板」ともいう）について説明する。
図７は、拡張式函体のブランク板を示す図である。
図７中、中央の板材は、中央函体３１用の板材である。図面左側から糊代ｎ１、中央底板（外面側）３１２、中央前面板（外面側）３１３、中央前面板（内面側）３１３、中央底板（内面側）３１２、中央背面板（内面側）３１１、中央背面板（外面側）３１１の構成となっている。中央前面板（外面側）３１３と中央前面板（内面側）３１３の間には、第１ひな段と平行平面を形成する目的と左側函体３２および右側函体３３の前面板 を挿入可能にする隙間を作る目的のために、狭幅の板材３１４が設けられている。中央背面板（内面側）３１１と中央背面板（外面側）３１１との間にも左側函体３２および右側函体３３の背面板 を挿入可能にする隙間を作る目的ために、狭幅の板材３１５が設けられている。
【００２０】
図７中、上側の板材は、左側函体３２用の板材である。図面左側から左側底板（内面側）３２２、左側前面板（内面側）３２３、左側前面板（外面側）３２３、左側底板（外面側）３２２、左側背面板（外面側）３２１、左側背面板（内面側）３２１の構成となっている。従って、各面板は２枚の板材構成からなることになる。
左側前面板（外面側）３２３と左側底板（外面側）３２２、および左側背面板（外面側）３２１には、左側側面板３２４を形成するための板材３２４ａ，３２４ｂ,３２４ｃ,３２４ｄが接続されている。左側側面板３２４の形成方法については、後に説明する。
【００２１】
図７中、下側の板材は、右側函体３３用の板材である。これらの板材の構成は、左側と同様であり、容易に類推できると考えるので説明を省略する。
なお、図７、図８、図９において、板材の端部に接続する細幅の部材であって、斜線のハッチングを施した部分は糊代であり、点状のハッチングを施した部分は、後に説明する係止片となるものである。
【００２２】
図８は、中央ひな段と前垂れのブランク板を示す図である。
図８中、左側の板材は、中央ひな段２１の板材である。図中下側から、第２ひな段前面板材２１２ｆ、第２ひな段上面板材２１２ｕ、第２ひな段背面板材２１２ｂ、中央ひな段底板材２１ｄ、第１ひな段前面板材２１１ｆ、第１ひな段上面板材２１１ｕ，第１ひな段背面板材２１１ｂ、糊代ｎ２、となる。
右側の板材は前垂れ４１，４２,４３用の板材である。前垂れは、中央函体３１の中央前面板３１３と中央第１ひな段２１１との間、または左側前面板３２３と左側第１ひな段２２１との間、右側前面板３３３と右側第１ひな段２３１との間、に差し込んで（先端をひな段の下に埋め込んで）使用するものである。
前垂れ相互の板材間が重なるように使用するので、前垂れの合計幅長さは、拡張した際のスライド拡張式展示棚１０の全幅よりも長くなる。
【００２３】
図９は、左側ひな段と右側ひな段のブランク板を示す図である。
図９の左側の小型の板材が第１ひな段２２１，２３１用の板材であり、図９の右側の板材が第２ひな段２２２，２３２用の板材である。スライドするこれらのひな段は、折り畳みして、細長い６面立方体状の箱体を形成するもので、組み立て方法は容易に類推できると考える。
第１ひな段２２１には、前記した差し込み片２２１ｓ１，２３１ｓ１が、第２ひな段２３１には差し込み片２２２ｓ ２，２３２ｓ２が形成されている。
【００２４】
なお、図７、図８、図９のブランク板中において、斜線のハッチングを施し、一部ｎ１，ｎ２の符号を付した板状部分は糊代であることを示している。糊代の糊には両面接着テープを使用できる。
また、矩形状の板材の側辺において、点状ハッチングを施した板材部分は、スライドする左側または右側ひな段あるいは左側または右側函体が中央ひな段２１または中央函体３１から簡単に抜け出さないようにするための係止片である。中央函体３１または中央ひな段２１側とスライド側の双方の係止片を対向する方向に折り曲げることで、スライドする終端で係止片が妨げになり、簡単には抜け出し得ない構造になる。
【００２５】
図１６は、係止片の機能を説明する図である。例として、中央第１ひな段２１１と右側第１ひな段２３１を図示している。ひな段の中においての水平断面図である。
右側第１ひな段２３１を右側（矢印方向）にスライドし、ひな段の終端に近くなると、中央第１ひな段２１１の係止片ｋ３，ｋ４が、右側第１ひな段２３１の係止片ｋ１，ｋ２と係合して、スライドを妨げる力が働くのでその先には進めなくなる。無理に力を加えれば、紙材料が破損するか変形することになる。
【００２６】
図１０は、看板のブランク板を示す図である。
看板４５は、拡張式函体３０の背面板と中央ひな段２１１または拡張式ひな段２０の間に差し込んで使用する板材で、広告や商品の説明の表示等に用いられる。展示棚１０を拡張しない場合は、中央の折り線４５ｆで二つ折りにし、天側を上にし、地側を差し込み側にして使用する。看板４５は必須の構成ではない。
展示棚１０を全拡張する場合は、全幅Ｈで使用することになる。高さＴは、中央背面板３１１よりも高くする。
【００２７】
次に、ブランク板から中央函体３１と中央ひな段２１を製造する工程、および側面板を製造する工程について説明することとする。
図１１は、中央函体ブランク板の折り畳み後の断面図である。図７の中央の中央函体３１用の板材を折り畳みし、端部糊代ｎ１を接着した後の状態である。
糊代ｎ１、中央底板（外面側）３１２、中央前面板（外面側）３１３、狭幅の板材３１４，中央前面板（内面側）３１３、中央底板（内面側）３１２、中央背面板（内面側）３１１、中央背面板（外面側）３１１の順に全て直角に折り曲げ、図１１の断面形状に形成する。
糊代ｎ１は中央背面板（外面側）３１１の外面に接着される。
この中央函体３１の内面材と外面材の間にできた間隙Ｅ１が、左側函体３２と右側函体３３が入ってスライドする空間となる。
【００２８】
図１２は、中央ひな段ブランク板の折り畳み後の断面図である。図８左側の中央ひな段２１用の板材を折り畳みし、端部糊代ｎ２を接着した後の状態である。
第２ひな段前面板材２１２ｆ、第２ひな段上面板材２１２ｕ、第２ひな段背面板材２１２ｂ、中央ひな段底板材２１ｄ、第１ひな段前面板材２１１ｆ、第１ひな段上面板材２１１ｕ，第１ひな段背面板材２１１ｂを順に全て直角に折り曲げ、図１１の断面形状にする。糊代ｎ２を中央ひな段底板材２１ｄの内面に接着する。
この中央ひな段２１により形成された矩形状のトンネル構造の内部Ｅ２，Ｅ３が、左側ひな段２２と右側ひな段２３が入ってスライドする空間となる。
中央ひな段２１は、図１１の中央函体３１の中に非接着状態（中央ひな段２１と中央底板３１２の間は接着しても良い）で嵌め込まれる。ただし、左右各側面板と左右各ひな段との間を差し込み片と差し込み穴で固定するのは前記のとおりである。
【００２９】
次に側面板の折り畳み工程について説明する。
図７上側の板材を例として説明する。まず、図７上側板材の左側から順に、左側底板（内面側）３２２、左側前面板（内面側）３２３、左側前面板（外面側）３２３、左側底板（外面側）３２２、左側背面板（外面側）３２１、左側背面板（内面側）３２１となっているが、左側前面板（内面側）３２３と左側前面板（外面側）３２３の間を１８０度に折り曲げる以外は、各板材間を直角に折り曲げして組立てるものとする。
【００３０】
その際、左側側面板３２４となる部分が特徴ある形状にされているので、以下説明する。
図１３は、側面板のブランク板を折り畳みする工程図（１）、図１４は、同工程図（２）、図１５は、同工程図（３）である。
左側側面板３２４の各板紙材料３２４ａ，３２４ｂ，３２４ｃ，３２４ｄを図１３のように、立ち上げる。次いで、図１４のように、板紙材料３２４ａ，３２４ｄを向い合わせ、板紙材料３２４ａの切り欠きＣ１を板紙材料３２４ｄの切り欠きＣ２に差し込みして結合させる。これにより、左側背面板３２１と左側前面板３２３が平行面となる関係になる。
次に、板紙材料３２４ｂと３２４ｃを折り線３２４ｆにより１８０度に折り曲げて、図１５のように、板紙材料３２４ａ，３２４ｄの結合部を覆うように被せる。
板紙材料３２４ｃの差し込み片３２４ｃｓ１,３２４ｃｓ２を差し込み穴３２２ｈ１,３２２ｈ２に差し込みして固定する。
右側側面板３３４も同様な構成にされており、同様な工程で折り曲げし、組み立てできることは明らかなので説明を省略する。
【００３１】
板紙材料には、通常の板紙の他、ポリエチレンやポリプロピレンとの片面または両面ラミネート紙を使用することができ、樹脂含浸紙であっても良い。両面段ボールや片面段ボールであっても良い。板紙と言っているが、プラスチック板材であっても良いものである。
また、板紙材料に対して、彩色や模様を施すことも構わない。
【実施例】
【００３２】
以下に、実施例を記載するが、各部の寸法や材質は、当該実施例に限定されず任意に変更できるものである。
中央函体３１、左側函体３２、右側函体３３の材料として、４６判３１ｋｇの板紙を使用し、図７図示のようなブランク板を作製した。なお、中央函体３１の横幅が３００ｍｍ、背面板の高さが１６５ｍｍ、中央底板３１２の奥行が１７０ｍｍ、になるようにした。
また、左側函体３２、右側函体３３の全拡張時の全幅が、５８０ｍｍになるようにし、左側函体３２、右側函体３３の横幅、背面板の高さ、底板の奥行は、中央函体３１に収納できる数値に設定した。
【００３３】
中央ひな段２１、前垂れ４１，４２、４３の材料として、４６判２６．５ｋｇの片面ポリプロピレン貼り板紙を使用し、図８図示のようなブランク板を作成した。なお、中央ひな段２１の横幅が、３００ｍｍ、中央第１ひな段２１１の高さが３０ｍｍ、奥行が７８ｍｍ、になるようにし、中央第２ひな段２１２の高さが９２ｍｍ、奥行が８０ｍｍ、になるようにした。前垂れ４１も同幅の３００ｍｍになるようにした。
【００３４】
左側第１ひな段２２１、左側第２ひな段２２２、右側第１ひな段２３１、右側第２ひな段２３２の材料には、中央ひな段と同一の材料を使用し、図９図示のようなブランク板を作製した。これらの横幅、ひな段の高さ、奥行は、中央第１ひな段２１１、または中央第２ひな段２１２に収納できる数値に設定した。
【００３５】
これら部材をブランク板から打ち抜きし、前述のように折り畳みし、かつ部分的に接着し、図１、図２図示のような、スライド拡張式展示棚１０を完成することができた。
この展示棚１０に商品を陳列し、好適に使用できた。
【符号の説明】
【００３６】
１０    スライド拡張式展示棚
２０    拡張式ひな段
２１    中央ひな段
２１１  中央第１ひな段
２１２  中央第２ひな段
２２    左側ひな段
２２１  左側第１ひな段
２２２  左側第２ひな段
２３    右側ひな段
２３１  右側第１ひな段
２３２  右側第２ひな段
３０    拡張式函体
３１    中央函体
３１１  中央背面板
３１２  中央底板
３１３  中央前面板
３２    左側函体
３２１  左側背面板
３２２  左側底板
３２３  左側前面板
３２４  左側側面板
３３    右側函体
３３１  右側背面板
３３２  右側底板
３３３  右側前面板
３３４  右側側面板
４１，４２，４３  前垂れ
４５    看板
【図１】
0006717030.tif 000002
【図２】
0006717030.tif 000003
【図３】
0006717030.tif 000004
【図４】
0006717030.tif 000005
【図５】
0006717030.tif 000006
【図６】
0006717030.tif 000007
【図７】
0006717030.tif 000008
【図８】
0006717030.tif 000009
【図９】
0006717030.tif 000010
【図１０】
0006717030.tif 000011
【図１１】
0006717030.tif 000012
【図１２】
0006717030.tif 000013
【図１３】
0006717030.tif 000014
【図１４】
0006717030.tif 000015
【図１５】
0006717030.tif 000016
【図１６】
0006717030.tif 000017